(57)【特許請求の範囲】
【請求項１】
躯体側部材に開設した出入り口部の一側部に、ドア体の一側部をドア厚方向中間部において枢支して出入り口部を開閉自在に構成してなるドア体において、躯体側部材のドア体吊り元側端面との対向端面には、閉鎖状態におけるドア厚方向両端側となる部位に位置して弾性変形自在な第一緩衝体の一対がドア体側に向けて突出状に設けられ、ドア体の躯体側部材との対向端面には、弾性変形自在な断面円弧状の第二緩衝体が躯体側部材側に向けて突出状に設けられ、前記一対の第一緩衝体の対向間には、剛性の中間部材が設けられるものとし、第一緩衝体と中間部材とは、前記第二緩衝体に近接するよう凹状の断面に形成されているドア体における指挟み防止構造。
【請求項２】
請求項１において、躯体側部材には、ドア体の吊り元側端面に対向して躯体用エッジ部材が一体的に設けられるものとし、第一緩衝体は、基端部が躯体用エッジ部材の平板状の本体部に形成された保持片に抜け止め状に嵌入保持されているドア体における指挟み防止構造。
【請求項３】
請求項１または２において、ドア体には、躯体側部材との対向端面にドア体用エッジ部材が止着されるものとし、前記ドア体用エッジ部材には弾性変形自在な断面円弧状の第二緩衝体が躯体側部材側に向けて突出状に設けられているドア体における指挟み防止構造。
【請求項４】
請求項３において、第二緩衝体は、両端部がドア体用エッジ部材の平板状の本体部のドア厚方向両端側となる部位にそれぞれ形成された保持片に抜け止め状に嵌入保持されているドア体における指挟み防止構造。
【請求項５】
請求項１、２、３または４において、ドア体の戸先側に対向する躯体側部材の端面には、第二躯体用エッジ部材が止着されるものとし、前記第二躯体用エッジ部材は、閉鎖状態におけるドア厚方向閉鎖側となる端部にゴム質弾性材からなる第三緩衝体がドア体側に向けて突出状に止着されているドア体における指挟み防止構造。
【発明の詳細な説明】
【技術分野】
【０００１】
本発明は、トイレブース等のパネル体により仕切られたスペースを開閉するドア体における指挟み防止構造の技術分野に属するものである。
【背景技術】
【０００２】
一般に、公共施設等のトイレブースのように、広いスペースを躯体側に固定される躯体側部材で仕切る一方、各仕切られた空間を構成する躯体側部材に出入り口部を開設し、該出入り口部にドア体を開閉自在に設けて、複数の開閉自在なブースを形成するようにしたものが知られている。このようなものにおいて、躯体側部材とドア体とをそれぞれパネル体で構成し、各パネル体の切断面に、端部材として金属製のエッジ部材を設けることがある。このように、パネル体の切断面にそれぞれエッジ部材を固定する場合、ビスを用いて螺合固定するのが一般的であり、このため、パネル体とドア体との対向端面となるエッジ部材取り付け部位にはビス頭が外部に露出した状態で設けられている。この場合に、ビスが長期に亘る使用の過程で弛むことがあり、このようになると、ビス頭がエッジ部材の端面から突出することが想定され、ビス頭が他部材に引っ掛かる等の不具合が問題となる。
【０００３】
この対策として、エッジ部材を、パネル体の端面にビス止めされる本体部と、カバーとの二部材構成とし、本体部におけるドア体の開閉方向中間部（ドア厚方向中間部）に凹部を形成し、該凹部においてビス止めを行う一方、該凹部を覆うカバー材を嵌着することにより、ビス頭をカバーで覆蓋して外部に露出しないように構成したものが提唱されている。
【特許文献１】特開２００２−１０６０９１
【発明の開示】
【発明が解決しようとする課題】
【０００４】
ところで、前記従来のものにおいて、ドア体は、一側部のドア厚方向中間部において躯体側部材に揺動自在に吊持される所謂中心吊りに構成されている。このため、ドア体の吊り元側に設けられるエッジ部材は断面円弧状のものが用いられている。これに対し、ドア体の吊り元側に対向する躯体側部材の端面に設けられるエッジ部材において、閉鎖状態のドア体におけるドア厚方向両端部のうち、閉鎖側の端部に位置してドア体側に突出した形状として、ドア体の閉鎖状態においてドア体とのあいだに前後方向に見通せるような隙間が形成されることがないようにしている。しかるに、このようにした場合、ドア体を開放させたときに、前記躯体側部材のエッジ部材とドア体のエッジ部材とのあいだの隙間が大きくなり、ここに指等が挿し込まれ、このままドア体が閉鎖されると、指が金属材で形成されたエッジ部材間に圧迫状に挟み込まれてしまうことが想定され、これに対する防止策が望まれている。特に、前記従来のもののように、不特定多数の人が使用するようなトイレブースを形成するような場合では、指挟み防止の対策が強く要望され、ここに本発明の解決すべき課題がある。
【課題を解決するための手段】
【０００５】
本発明は、上記の如き実情に鑑みこれらの課題を解決することを目的として創作されたものであって、請求項１の発明は、躯体側部材に開設した出入り口部の一側部に、ドア体の一側部をドア厚方向中間部において枢支して出入り口部を開閉自在に構成してなるドア体において、躯体側部材のドア体吊り元側端面との対向端面には、閉鎖状態におけるドア厚方向両端側となる部位に位置して弾性変形自在な第一緩衝体の一対がドア体側に向けて突出状に設けられ、ドア体の躯体側部材との対向端面には、弾性変形自在な断面円弧状の第二緩衝体が躯体側部材側に向けて突出状に設けられ、前記一対の第一緩衝体の対向間には、剛性の中間部材が設けられるものとし、第一緩衝体と中間部材とは、前記第二緩衝体に近接するよう凹状の断面に形成されているドア体における指挟み防止構造である。
請求項２の発明は、請求項１において、躯体側部材には、ドア体の吊り元側端面に対向して躯体用エッジ部材が一体的に設けられるものとし、第一緩衝体は、基端部が躯体用エッジ部材の平板状の本体部に形成された保持片に抜け止め状に嵌入保持されているドア体における指挟み防止構造である。
請求項３の発明は、請求項１または２において、ドア体には、躯体側部材との対向端面にドア体用エッジ部材が止着されるものとし、前記ドア体用エッジ部材には弾性変形自在な断面円弧状の第二緩衝体が躯体側部材側に向けて突出状に設けられているドア体における指挟み防止構造である。
請求項４の発明は、請求項３において、第二緩衝体は、両端部がドア体用エッジ部材の平板状の本体部のドア厚方向両端側となる部位にそれぞれ形成された保持片に抜け止め状に嵌入保持されているドア体における指挟み防止構造である。
請求項５の発明は、請求項１、２、３または４において、ドア体の戸先側に対向する躯体側部材の端面には、第二躯体用エッジ部材が止着されるものとし、前記第二躯体用エッジ部材は、閉鎖状態におけるドア厚方向閉鎖側となる端部にゴム質弾性材からなる第三緩衝体がドア体側に向けて突出状に止着されているドア体における指挟み防止構造である。
【発明の効果】
【０００６】
請求項１の発明とすることにより、ドア体の吊り元側端面と躯体側部材とのあいだに指が挟まれても、衝撃が緩衝されて強く挟み込まれることがないようにできると共に、ドア体と躯体側部材とのあいだに入り込んだ指が剛性の中間部材に指が当接することで、奥側まで入り込んでしまうのを防止することができる。
請求項２の発明とすることにより、指挟み防止構造の簡略化を実現することが可能となる。
請求項３の発明とすることにより、指挟み防止が図れるうえ、ドア体と躯体側部材とのあいだをドア厚方向に見通せる隙間を形成しないようにできる。
請求項４の発明とすることにより、指挟み防止構造の簡略化を実現することが可能となる。
請求項５の発明とすることにより、ドア体の戸先側端面と躯体側部材とのあいだに指が挟まれても衝撃が緩衝されて強く挟み込まれることがないうえ、ドア体の開放時に躯体側部材に障害物が当ったような場合の衝撃吸収を行うことができる。
【発明を実施するための最良の形態】
【０００７】
つぎに、本発明の実施の形態について、図面に基づいて説明する。
図面において、１は広い空間を構成する左右方向を向く躯体壁面に沿い、所定間隙を存して配される複数の正面パネル体であって、これら正面パネル体１は、下端面に設けられた高さ調整機構付きの下フレームユニット２を介して床面に固定されている。そして、各正面パネル体１には、前後方向を向く仕切りパネル体３の一端面（手前側面）がそれぞれ突き当てられビス４により固定されており、該仕切りパネル体３の他端面（奥側面、後側面）は、左右方向を向く躯体壁面に突き当てられ、ビス４を用いて固定されており、これによって、左右方向に長いスペースが仕切りパネル体３により仕切られて、躯体壁面に沿って複数のブースＢが並列状に形成されるように構成されており、これら各パネル体１、３が本発明の躯体側部材に相当している。また、各正面パネル体１は、金属材で形成された長尺状の笠木５により一体的に連結されており、笠木５を躯体側に一体的に固定することにより、正面パネル体１上部の躯体への固定がなされている。
尚、各パネル体１、３は、表裏一対（前後一対）の面板１ａ、３ａのあいだにコア材１ｂ、３ｂを介装して構成されており、本実施の形態では、同一材質のパネル材を適宜切断して構成されている。
【０００８】
そして、隣接する正面パネル体１同士のあいだには所定の間隙が形成されており、該間隙が各ブースＢの出入り口部となり、これら出入り口部に、各ブースＢを開閉するためのドア体６がそれぞれ開閉自在に設けられている。
前記ドア体６は、各パネル体１、３と同一材質のパネル材を適宜切断して構成されており、表裏面板６ａとコア材６ｂとを備えて構成されている。そして、図２において、ドア体６左側端部における上下端部のドア厚方向中間部には、笠木５に基端部が支持されるヒンジピン７の下方に向く先端部と、下フレームユニット２に基端部が支持されるヒンジピン７の上方を向く先端部とを、それぞれ上下方向外方から嵌入支持させることにより、ドア体６は正面パネル体１に対して枢支され、吊持部となる戸尻（吊り元）側部位（ヒンジピン７枢支部位）を支点として揺動し、表裏面板６ａが正面パネル体１の表裏面板１ａと略面一となる閉鎖状態からドア体６をブースＢ内側に押しやることで出入り口部が開放するように構成されている。そして、ドア体６の閉鎖状態では、ドア体６の左右端面６ｃ、６ｄに対し、正面パネル体１の右端面１ｄ、左端面１ｃとが対向する位置関係となるように設定されている。
【０００９】
前記ドア体６には、ブースＢ内側の内側面の左右方向中間部における上部に位置して、フック部８ａが一体形成された戸当り８が設けられており、ドア体６の開放時に、ドア体６が当接する以前の段階で戸当り８が仕切りパネル体３に当接するように構成され、ドア体６と仕切りパネル体３の保護を図るように設定されている。
さらに、ドア体６の上部には、前記戸当り８が配設される面と同じ側となる面に位置して、ドア体６の上縁部から上方に突出するストッパ部材９が設けられており、該ストッパ部材９は、ドア体６の閉鎖状態において、隣接する正面パネル体１を連結する笠木５にブースＢの内側から当接することにより、ドア体６が外方に開放するの（外開き）を規制するように設定されている。尚、前記ストッパ部材９は、緊急時等に所定の操作をすることでドア体６の上縁部から突出する部位が倒伏し、ドア体６の外開きが可能となるように構成されている。
【００１０】
そして、ドア体６の左右端面６ｃ、６ｄには、それぞれ同様に構成されたドア体用エッジ部材１０が上下方向略全長に亘って一体的に設けられて（止着されて）いる。一方、正面パネル体１の左右端面１ｃ、１ｄであって、ドア体６の右端面６ｄに対向する左端面１ｃにはパネル体用左エッジ部材（第二躯体用エッジ部材に相当する）１１が一体的に止着され、ドア体左端面６ｃに対向する右端面１ｄにはパネル体用右エッジ部材（躯体用エッジ部材に相当する）１２がそれぞれ上下方向略全長に亘って一体的に止着されている。
ここで、ドア体左右端面６ｃ、６ｄに設けられるドア体用エッジ部材１０と、正面パネル体１の右端面１ｄに配されるパネル体用右エッジ部材１２とは、アルミ型材で同様に構成された長尺状の同一部材を左右対称状に配設する等、向きを変えて用いており、これによって、部材の兼用化を計るように構成されている。
【００１１】
前記同一部材であるエッジ部材１０、１２は、それぞれドア体６および正面パネル体１のパネル面に直交し、各端面６ｃ、６ｄ、１ｄに突き当てられる平板状の本体部１０ａ、１２ａを備えて構成されている。さらに、各本体部１０ａ、１２ａには、前後方向両端（閉鎖状態におけるドア体６のドア厚方向両端部）に位置して、ドア体６または正面パネル体１の前後面板６ａ、１ａに沿う支持片１０ｂ、１２ｂがそれぞれ延出形成されており、これらエッジ部材１０、１２は、ドア体６または正面パネル体１の左右端部に対して外嵌状に組み込まれるように構成されている。さらに、各本体部１０ａ、１２ａの前後方向両端部には、前記支持片１０ｂ、１２ｂとは逆方向に突出する保持部（保持片に相当）１０ｃ、１２ｃが形成されているが、これら前後の保持部１０ｃ、１２ｃは、先端に係止片１０ｄ、１２ｄが形成された前後一対の突片１０ｅ、１２ｅからなり、これら前後の突片１０ｅ、１２ｅは互いに線対称となる関係で形成されている。
そして、これらエッジ部材１０、１２は、ドア体６または正面パネル体１の端部に外嵌させ、本体部１０ａ、１２ａを対応する端面６ｃ、６ｄ、１ｄに突当ててビス１０ｆ、１２ｆを用いて螺着することにより、ドア体６または正面パネル体１に固定されるように設定されている。
【００１２】
そして、ドア体６の閉鎖状態において、ドア体６の吊り元側において、互いに対向するドア体左端面６ｃのドア体用エッジ部材１０と、正面パネル体右端面１ｄに配されたパネル体用右エッジ部材１２とのあいだは、本体部１０ａ、１２ａ同士の対向間が、人の指が入り込める程度の大きさの間隙となるように構成されている。
さらに、パネル体用右エッジ部材１２の各保持部１２ｃには、前後一対の第一緩衝体１３の基端部がそれぞれ保持されている。前記第一緩衝体１３はゴム質弾性材により構成され、中空状に形成されて弾性変形可能な変形部１３ａの基端部に、該変形部１３ａよりも剛性が高められた保持受け片１３ｂが二色成形により一体形成されたものに構成されており、該保持受け片１３ｂを前後の保持部１２ｃにそれぞれ保持させることにより、変形部１３ａがドア体６側に突出するように配設されている。尚、変形部１３ａの内側片は剛性に形成されている。
また、ドア体用エッジ部材１０の各保持部１０ｃには、第二緩衝体１４の前後の基端部がそれぞれ保持されている。前記第二緩衝体１４はゴム質弾性材により構成され、ドア体６のヒンジピン７枢支部位を支点とする回転揺動の揺動軌跡に沿う円弧面を有し、かつ、中空状となって弾性変形可能に形成された膨出部１４ａを備えて構成されている。前記膨出部１４ａの前後方向両端部には、膨出部１４ａよりも剛性が高められた保持受け片１４ｂが二色成形により一体形成されており、これら前後一対の保持受け片１４ｂを、前後の保持部１０ｃにそれぞれ保持させることにより、膨出部１４ａが正面パネル体１側に突出して配設されている。
【００１３】
尚、第一、第二緩衝体１３、１４の各保持受け片１３ｂ、１４ｂは、保持部１２ｂ、１０ｂを構成する各前後一対の係止片１２ｄ、１０ｄにそれぞれ係止する前後一対の係止受け片１３ｃ、１４ｃが形成されている。そして、これら第一、第二緩衝体１３、１４は、対応するエッジ部材１２、１０の保持部１２ｂ、１０ｂに対し、長手方向一端からスライド嵌合させることで、前後一対の係止受け片１３ｃ、１４ｃが前後一対の係止片１２ｄ、１０ｄにそれぞれ係止する状態で組み込まれ、これによって、第一、第二緩衝体１３、１４の保持部１２ｂ、１０ｂからの確実な抜け止めがなされるように構成されている。
また、１５は本発明の中間部材に相当するカバー体であって、該カバー体１５は、本実施の形態では金属材で形成されている。そして、カバー体１５は、前後の第一緩衝体１３のあいだに配されるが、断面コ字形状を構成する前後一対の脚片１５ａを、パネル体用右エッジ部材１２の前後の保持部１２ｃの内側に位置する突片１２ｄ間に押圧状に押し込むことで、カバー体脚片１５ａに形成された係止片１５ｂが突片１２ｄに形成された係止片１２ｅに係止し、パネル体用右エッジ部材１２からの抜け止めがなされた状態で嵌着されるように構成されている。そして、カバー体１５は、パネル体用右エッジ部材１２を正面パネル体１の右端面１ｄに固定するためのビス１２ｆの頭部が露出する本体部１２ａを外方からカバーする機能を有している。
【００１４】
さらに、前後の第一緩衝体１３とカバー体１５とは、パネル面側ほどドア体６側に突出するよう断面凹面形状（凹状）になるように形成され、第二緩衝体膨出部１４ａの膨出基端部となる前後端部に近接対向するように設定されており、これによって、ドア体６の閉鎖状態において、第一、第二緩衝体１３、１４が前後方向にオーバーラップする状態となり、これらのあいだを介して前後方向を見通すことができないように構成されている。また、カバー体１５の脚片１５ａは、第一緩衝体１３の変形部１３ａに沿うように延出されている。
このように構成することにより、ドア体６の吊り元側において、ドア体６を開放することにより、閉鎖状態におけるドア厚方向閉鎖側となる部位に隙間が形成され、該隙間に、指が入り込んだ状態でドア体６が閉鎖するようなことがあったとしても、指がエッジ部材１０、１２の金属製部位同士のあいだに圧迫されるようなことがないうえ、第一、第二緩衝体１３、１４が弾性変形することにより衝撃を緩衝することができるように構成されている。さらには、前記状態で指が第一緩衝体１３を変形させながら入り込んだような場合に、カバー体１５が指先の侵入を規制をして、カバー体１５よりも内側への入り込みを規制することができ、これらの構成が第一の指挟み防止構造となっている。
【００１５】
一方、ドア体６の閉鎖状態において、ドア体６の戸先側部位であり、互いに対向するドア体右端面６ｄのドア体用エッジ部材１０と、正面パネル体左端面１ｃに配されたパネル体用左エッジ部材１１とのあいだに、第二の指挟み防止構造が実施されている。
前記ドア体右端面６ｄに取り付けられるドア体用エッジ部材１０は、前記左端面６ｃ側と同様に固定され、保持部１０ｂに第二緩衝体１４が抜け止め状に保持されている。一方、正面パネル体１の左端面１ｃに配されるパネル体用左エッジ部材１１は、アルミ型材で形成された長尺体であって、正面パネル体１の左端面１ｃに沿い、ビス１ｅを用いて左端面１ｃに固定される本体部１１ａを備えて構成されている。そして、パネル体用左エッジ部材１１は、ドア体６の閉鎖状態において、本体部１１ａとドア体用エッジ部材本体部１０ａとのあいだに、人の指が入り込める程度の大きさの間隙が形成されるように配設されている。さらに、パネル体用左エッジ部材１１は、本体部１１ａにおいて、閉鎖状態のドア体６におけるドア厚方向閉鎖側の端部に位置して前記パネル体用右エッジ部材１２の保持部１２ｃと同様に構成された保持部１１ｂが形成されており、該保持部１１ｂに、前記第一緩衝体１３と同様に先端に変形部１６ａが形成された第三緩衝体１６の剛性の基端部１６ｂが、係止受け片１６ｃを介して抜け止め状に保持されている。これによって、両エッジ部材１０、１１同士のあいだに、弾性変形可能な第二、第三緩衝体１４、１６が前後方向にオーバーラップする状態となり、これらのあいだを介して前後方向を見通すことができないように構成されている。
このように構成することにより、ドア体６の戸先側部位に指が入り込んだとしても、指がエッジ部材１０、１１の金属製部位同士のあいだに圧迫されるようなことがないうえ、第二、第三緩衝体１４、１６が弾性変形することにより衝撃を緩衝することができるように構成され、該構成が第二の指挟み防止構造となっている。
尚、１７はドア体６を施錠するための錠装置であって、該錠装置１７は、ドア体６のブース内側面の戸先側部位における上下方向中間部位に位置し、ドア体６に対して左右方向移動自在に設けられるストライカー１７ａと、正面パネル体１の左側端部に位置して設けられ、ストライカー１７ａの左右方向の移動に基づいて係脱するストライカー受け部材１７ｂとにより構成されている。
【００１６】
叙述の如く構成された本形態において、正面パネル体１と仕切りパネル体３とにより仕切られた複数のブースＢは、それぞれのブースＢに配されたドア体６を開閉することにより、ブースＢ内外の出入りが可能となる。この場合に、正面パネル体１と面一に配されたドア体６をヒンジピン７を揺動支点とする中心吊りとし、ドア体６を開放揺動させたとき、ドア体６の吊り元側の端面となる左端面６ｃと、正面パネル体１の右端面１ｄとのあいだにおいて、閉鎖状態のドア体６におけるドア厚方向閉鎖側の端部には大きな間隙が形成される。このため、前述したように、この状態からドア体６を閉鎖するときに、前記間隙に指を差し入れたままドア体６を締めてしまうことが想定されるが、このものでは、ドア体６の左端面６ｃに配されるドア体用エッジ部材１０と、該ドア体用エッジ部材１０に近接して対向する正面パネル体１の右端面１ｄに配されるパネル体用右エッジ部材１２との対向間に、指が入り込める程度の大きさの間隙が確保されている。そして、前記間隙は、ドア体６の全閉状態では、パネル体用右エッジ部材１２に設けた弾性変形自在な第一緩衝体１３により覆蓋される構成としたので、ドア体６の閉鎖作動の過程で、前記間隙に指が残ったとしても、第一緩衝体１３が弾性変形することにより衝撃を緩衝できて指が強く挟み込まれてしまうようなことがなく、そのうえ、ドア体６の閉鎖状態では正面パネル体１とドア体６とのあいだに前後方向を見通せる隙間が残ってしまうような不具合をなくすことができる。しかも、このものでは、ドア体用エッジ部材１０にも弾性変形自在な第二緩衝体１４が第一緩衝体１３と前後方向にオーバーラップする状態で配されているので、ドア体６の閉鎖時における隙間の目隠しが確実となるうえ、ドア体６の開放時に、第一、第二緩衝体１３、１４とのあいだに指を差し入れることへの抑止効果を高めることが可能となる。
【００１７】
そのうえ、このものでは、第一、第二緩衝体１３、１４は、パネル体用右エッジ部材１２またはドア体用エッジ部材１０に形成された保持部１２ｂ、１０ｂに抜け止め状に嵌入保持させることができるので、第一、第二緩衝体１３、１４の取り付け構成の簡略化を図ることができるうえ、エッジ部材１２への装着作業も容易である。
しかも、このものでは、パネル体用右エッジ部材１２に配される第一緩衝体１３は、ドア体６の開閉方向両端部に設けられる構成であるので、パネル体用右エッジ部材１２を正面パネル体右端面１ｄに螺合する以前の段階で第一緩衝体１３を装着することも可能となる。
【００１８】
さらに、このものでは、パネル体用右エッジ部材１２において、閉鎖状態のドア厚方向両端部に配される一対の第一緩衝体１３のあいだに、金属製のカバー体１５が配されているので、ドア体６の閉鎖の過程で、パネル体用右エッジ部材１２とドア体用エッジ部材１０とのあいだに指が入り込んだときに、カバー体１５に当接することで指が奥まで入り込むことを抑止することができる。
【００１９】
また、このものでは、ドア体６の戸先側部位における指挟みについても、パネル体用左エッジ部材１１の本体部１１ａと、ドア体用エッジ部材本体部１０ａとのあいだに間隙を設けることにより指挟みを防止しており、このものでも、パネル体用左エッジ部材１１において、閉鎖状態におけるドア体６のドア厚方向閉鎖側となる端部に第三緩衝体１６を設けることにより、指挟み時の衝撃を緩衝することができ、しかも、ドア体６の閉鎖状態で前後方向に見通す隙間が形成されないようにすることができる。そのうえ、このものでは、ドア体６の開放時において、出入り口として通路となる部位にパネル体用左エッジ部材１１が露出するが、ここに第三緩衝体１６が設けられるので、該第三緩衝体１６が障害物との当接における衝撃吸収としての機能を果すことができる。
【００２０】
尚、本発明は前記実施の形態に限定されないことは勿論であって、ドア体を折れ戸に形成し、該折れ戸と躯体側部材とのあいだは、躯体部材側に第一緩衝体を、折れ戸側に第二緩衝体を設ける構成とし、さらに、折れ戸同士の対向する端面には、それぞれ第二緩衝体を設ける構成とすることにより、指挟み防止構造とすることができる。
【図面の簡単な説明】
【００２１】
【図１】各ブースへのドア体の取り付け状態を説明する一部切り欠き斜視図である。
【図２】ブースの形成状態を説明する横断面図である。
【図３】図３（Ａ）、（Ｂ）はそれぞれブースにおける正面パネル体部位の縦断面図、ドア体部位の縦断面図である。
【図４】図４（Ａ）、（Ｂ）、（Ｃ）はそれぞれ第一緩衝体の断面図、パネル体用右エッジ部材（ドア体用エッジ部材）の断面図、パネル体用右エッジ部材に第一緩衝体を取り付けた状態の断面図である。
【図５】ドア体の吊り元側部位における断面図である。
【図６】ドア体の戸先側部位における断面図である。
【符号の説明】
【００２２】
１    正面パネル体
１ｄ    右端面
５    笠木
６    ドア体
７    ヒンジピン
１０    ドア体用エッジ部材
１０ｃ    保持部
１１    パネル体用左エッジ部材
１２    パネル体用右エッジ部材
１２ｃ    保持部
１３    第一緩衝体
１３ａ    変形部
１３ｂ    保持受け片
１４    第二緩衝体
１５    カバー体
１６    第三緩衝体
【図１】
0004804089.tif 000002
【図２】
0004804089.tif 000003
【図３】
0004804089.tif 000004
【図４】
0004804089.tif 000005
【図５】
0004804089.tif 000006
【図６】
0004804089.tif 000007